(57)【要約】  【課題】  ブラシの仕様を取り違えて購入することのない化粧料塗布具の組み立てキットの提供。  【解決手段】先端側にブラシ３２Ａ，Ｂを備えた筆軸３０を抜き差する開口部１２が設けられ、内部にマスカラ液１１が充填されたマスカラ容器１０と、容器の開口部１２に螺着されるキャップ２０と筆軸３２とが一体化されたキャップ一体型筆軸とを備えたマスカラ塗布具の組み立てキットで、開口部１２に仮キャップ１８を装着した容器１０と、仮キャップ１８を外した開口部１２外周に螺着可能な本キャップ２０と、本キャップ２０内周に凹凸ランス係合して連結可能な円筒型基端部３４を設けた筆軸３０Ａ，Ｂとを、少なくともブラシ３２Ａ，Ｂ部分が透けて見えるように一体的に包装した、ブラシ３２Ａ，Ｂの仕様だけ異なる複数種のブリスターパックＰＡ，ＰＢで構成した。ブラシ３２Ａ，Ｂ部分が透けて見えるので、パックＰＡ，ＰＢを購入するに際して、ブラシ３２Ａ，Ｂの仕様を取り違えることがない。  【選択図】  図１
2006055307.tif 000002
【特許請求の範囲】
【請求項１】
ブラシを設けた筆軸を抜き差するための開口部が設けられるとともに、内部に液体化粧料が充填された液体化粧料容器と、前記容器の開口部に螺着されるキャップと前記筆軸とが一体化されたキャップ一体型筆軸とを備えた液体化粧料塗布具の組み立てキットであって、
取り外し可能な仮キャップがその開口部に装着された前記液体化粧料容器と、前記開口部外周に設けられた雄ねじ部に螺合可能な雌ねじ部がその内周に設けられ、前記仮キャップを取り外した前記開口部に螺着可能な下方に開口する筒型の本キャップと、その後端側に前記本キャップ内周と凹凸ランス係合して連結可能な後方に開口する円筒型基端部が設けられた筆軸とが、少なくとも筆軸のブラシ部分が透けて見えるようにそれぞれ一体的に包装された、前記筆軸のブラシの仕様だけが互いに異なる複数種のパックで構成されたことを特徴とする液体化粧料塗布具の組み立てキット。
【請求項２】
前記複数種のパックは、ブラシの仕様毎に色分けされたことを特徴とする請求項１に記載の液体化粧料塗布具の組み立てキット。
【請求項３】
前記仮キャップを外した前記液体化粧料容器の開口部に前記筆軸を差し入れ、前記開口部に当接して上方に突出する筆軸の基端部に前記本キャップを被せて前記開口部外周に螺着することで、開口部周縁に押された筆軸の基端部が本キャップ内周に凹凸ランス係合するとともに、筆軸の基端部が本キャップ天井面に当接することを特徴とする請求項１または２に記載の液体化粧料塗布具の組み立てキット。
【発明の詳細な説明】
【技術分野】
【０００１】
本発明は、内部に液体化粧料が充填された液体化粧料容器と、前記容器の開口部に螺着されるキャップと先端側にブラシが設けられて前記容器の開口部からの抜き差し可能な筆軸とが一体化されたキャップ一体型筆軸を備えた液体化粧料塗布具の組み立てキットに関する。
【背景技術】
【０００２】
この種の液体化粧料塗布具の一例であるマスカラ塗布具では、筆軸先端のブラシの仕様（外形）として、例えば長い睫に適したもの、短い睫に適したものというように、複数種が存在するのが一般的であって、いずれの仕様のブラシを備えた塗布具においても、マスカラ液を充填したマスカラ容器の開口部にキャップ一体型筆軸を取着した（組み付けた）形態の商品として店頭に陳列されている。そして、購入希望者は、一般的には陳列商品近くに置かれている試供用のモニタ商品を試すことで、どの商品（いずれの仕様のブラシを備えたマスカラ塗布具）がよいか（自分の睫にあっているか）を選択できるようになっている。
【０００３】
しかし、モニタ商品にしても陳列商品にしても、抜き出した筆軸先端のブラシにはマスカラ液（一般には黒色）が付着しており、ブラシの仕様の違いを認識し難い。特に頻繁に試供されるモニタ商品については、揮発成分が減少してマスカラ液の粘性が高くなっているため、ブラシの仕様の違いをはっきり認識することはより一層困難である。
【０００４】
このため、購入希望者が意図しない仕様のブラシを備えた商品（マスカラ塗布具）を購入してしまうおそれがあるという問題があった。
【０００５】
また、下記特許文献１には、図８に示すように、「液体化粧料２を収容する容器１の開口部３に螺着されるキャップ４に、先端にブラシ６が設けられた筆軸５の基端部５ａが着脱可能に組み付けられており、キャップ４の上方に突出する筆軸頂部５ａ１を下方に押圧することで、キャップ４から簡単に筆軸５を分離できるし、ブラシ６の仕様が異なる新たな筆軸をキャップ４に簡単に装着できるという液体化粧料塗布具の構造」が開示されている。
【特許文献１】特開平１１−１５５６２９号（図１，３）
【発明の開示】
【発明が解決しようとする課題】
【０００６】
しかし前記した特許文献１の液体化粧料塗布具においても、筆軸５はキャップ４に一体化されたキャップ一体型筆軸として構成されるとともに、容器１の開口部３にキャップ４を螺着した（組み付けた）形態で店頭に陳列されており、購入希望者が意図しない仕様のブラシを備えた商品（液体化粧料塗布具）を購入してしまうおそれがあるという問題については、同様である。
【０００７】
さらに、特許文献１の液体化粧料塗布具では、基端部５ａに設けた細い頂部５ａ１がキャップ４に設けた溝付き孔４ａで掛止されてはいるが、筆軸基端部５ａを溝付き孔４ａに対しスムーズに装脱着させるためには、溝付き孔４ａによる筆軸基端部５ａの固定が不十分で、筆軸５がキャップ４に対し揺動して、うまく液体化粧料を塗布できないおそれがあるという第２の問題があった。
【０００８】
本発明は前記従来の問題点に鑑みなされたもので、その第１の目的は、購入希望者が間違いなく意図する仕様のブラシを備えた液体化粧料塗布具を購入できる化粧料塗布具の組み立てキットを提供することにある。また、その第２の目的は、塗布具として組み立てた筆軸がキャップに対し揺動することのない液体化粧料塗布具の組み立てキットを提供することにある。
【課題を解決するための手段】
【０００９】
前記目的を達成するために、請求項１に係る化粧料塗布具においては、ブラシを設けた筆軸を抜き差するための開口部が設けられるとともに、内部に液体化粧料が充填された液体化粧料容器と、前記容器の開口部に螺着されるキャップと前記筆軸とが一体化されたキャップ一体型筆軸とを備えた液体化粧料塗布具の組み立てキットであって、
取り外し可能な仮キャップがその開口部に装着された前記液体化粧料容器と、前記開口部外周に設けられた雄ねじ部に螺合可能な雌ねじ部がその内周に設けられ、前記仮キャップを取り外した前記開口部に螺着可能な下方に開口する筒型の本キャップと、その後端側に前記本キャップ内周と凹凸ランス係合して連結可能な後方に開口する円筒型基端部が設けられた筆軸とを、少なくとも筆軸のブラシ部分が透けて見えるようにそれぞれ一体的に包装した、前記筆軸のブラシの仕様だけが互いに異なる複数種のパックで構成するようにした。
（作用）液体化粧料を充填した液体化粧料容器と筆軸と本キャップとを一体的に包装したパックによって液体化粧料塗布具の組み立てキットが構成されて、店頭に陳列されているが、パックを介して少なくとも筆軸のブラシ部分が透けて見えるので、液体化粧料塗布具の組み立てキットを構成するパックを購入するに際して、ブラシの仕様を取り間違えることがない。
【００１０】
また、商品（液体化粧料塗布具の組み立てキットを構成するパック）を購入した後、パックから液体化粧料容器と筆軸と本キャップとを取り出し、例えば、請求項３に示すようにすれば、簡単に塗布具として組み立てることができるので、購入者自らが液体化粧料塗布具を組み立てる上で何ら不安はない。
【００１１】
また、購入したキットは組み付けることで液体化粧料塗布具として簡単に完成するので、完成品を購入して単に使用するというのではなく、購入者が購入した塗布具キットを自分で組み立てて塗布具として完成させることができるという、従来の液体化粧料塗布具業界にはない斬新さがある。
【００１２】
請求項２においては、請求項１に記載の液体化粧料塗布具の組み立てキットにおいて、前記複数種のパックをブラシの仕様毎に色分けするように構成した。
（作用）業者がパックを商品として取り扱う際や、購入希望者がパックを購入する際に、パックから透けて見えるブラシの仕様（外形）だけからブラシの仕様の違いを判別することは非常に面倒であるが、ブラシの仕様毎に色分けされているパックの色によって、ブラシの仕様を簡単に判別できる。
【００１３】
請求項３においては、請求項１または２に記載の液体化粧料塗布具の組み立てキットにおいて、前記仮キャップを外した前記液体化粧料容器の開口部に前記筆軸を差し入れ、前記開口部に当接して上方に突出する筆軸の基端部に前記本キャップを被せて前記開口部外周に螺着することで、開口部周縁に押された筆軸の基端部が本キャップ内周に凹凸ランス係合するとともに、筆軸の基端部が本キャップ天井面に当接するように構成した。
（作用）本キャップを液体化粧料容器の開口部に対し回動して、本キャップを開口部外周に螺合させると、キャップの螺合に伴って開口部周縁に押された筆軸の基端部外周の凸条部が本キャップ内周を外方に押し拡げながら軸方向に摺動し、本キャップ内周の凹条に凹凸ランス係合するが、本キャップは筒型、筆軸の基端部は薄肉円筒型であるため、筆軸基端部と本キャップとが凹凸ランス係合する際に、筒型の本キャップは拡径方向（半径方向外方）に、円筒型基端部は縮径方向（半径方向内方）にそれぞれ弾性変形するので、筆軸基端部外周と本キャップ内周間の凹凸ランス係合がスムーズである。また、筆軸基端部外周と本キャップ内周が凹凸ランス係合したときには、カチッというクリック感により凹凸ランス係合が完了したことを認識できるとともに、筆軸の基端部後端が本キャップ天井面に当接して筆軸と本キャップが軸方向に位置決めされる。
【００１４】
また、下方に開口する筒型の本キャップ内周と、筆軸の後方に開口する円筒型基端部外周とが凹凸ランス係合して、キャップ一体型筆軸が構成されるが、本キャップと筆軸基端部間係合部の接触面積が大きく、しかも筆軸の基端部後端が本キャップ天井面に当接して位置決めされるので、筆軸は本キャップに対し揺動することなく強固に一体化される。
【発明の効果】
【００１５】
請求項１に係る化粧料塗布具によれば、購入する際にブラシの仕様を取り違えることがないので、確実に意図する仕様のブラシを備えた液体化粧料塗布具キットを購入できる。
【００１６】
また、購入者が購入した液体化粧料塗布具キットを自分で組み立てて塗布具として完成させることができるという、従来にはない斬新さによって、他の液体化粧料塗布具との差別化を図ることができる。
【００１７】
請求項２によれば、ブラシの仕様に対応してパックが色分けされているので、業者がパックを商品として取り扱う際や購入希望者がパックを購入する際に、塗布具の組み立てキットのブラシの仕様の取り違えが一層なくなる。
【００１８】
請求項３によれば、購入者は誰でも簡単に液体化粧料塗布具キットを組み立てることができ、特に、本キャップ回動中のクリック感により筆軸とキャップとの凹凸ランス係合の完了を認識できるので、塗布具としての組み立てが適正か否かという不安感が生じることもない。
【００１９】
また、本キャップと筆軸とは揺動するようなことなく強固に一体化されているので、的確な化粧料の塗布が可能となる。
【発明を実施するための最良の形態】
【００２０】
次に、本発明の実施の形態を実施例に基づいて説明する。
【００２１】
図１〜図７は本発明の一実施例を示すもので、図１は本発明の一実施例であるマスカラ塗布具の組み立てキットの正面図で、（ａ）は第１の仕様のブラシを備えたマスカラ塗布具の組み立てキットの正面図、（ｂ）は第２の仕様のブラシを備えたマスカラ塗布具の組み立てキットの正面図、図２は第１の仕様のブラシを備えたマスカラ塗布具の組み立てキットの断面図（図１（ａ）に示す線ＩＩ−ＩＩに沿う断面図）、図３（ａ）は第１の仕様のブラシを備えたマスカラ塗布具の縦断面図、同（ｂ）は第２の仕様のブラシを備えたマスカラ塗布具の縦断面図、図４（ａ）はマスカラ塗布具構成部材であるマスカラ容器の半縦断面図、同（ｂ）はマスカラ塗布具構成部材であるキャップ（本キャップ）の半縦断面図、図５（ａ）はマスカラ塗布具構成部材である第１の仕様のブラシを備えた筆軸の半縦断面図、同（ｂ）はマスカラ塗布具構成部材である第２の仕様のブラシを備えた筆軸の半縦断面図、図６は筆軸基端部にキャップを一体化する状態の縦断面図、図７（ａ）〜（ｃ）はキャップ内周の凹条に筆軸基端部外周の凸条が凹凸ランス係合する様子を説明する説明図である。
【００２２】
図３（ａ），（ｂ）において、符号Ａ，Ｂは、内部にマスカラ液１１が収容されたマスカラ容器１０と、先端側にブラシ３２Ａ，３２Ｂがそれぞれ設けられた筆軸３０Ａ，３０Ｂにキャップ２０が一体化されたキャップ一体型筆軸で構成された第１，第２のマスカラ塗布具である。
【００２３】
両マスカラ塗布具Ａ，Ｂは、ブラシ３２Ａ，３２Ｂの仕様だけが異なり、その他の構成は全て同一であるので、第１のマスカラ塗布具Ａの具体的な構成について説明し、マスカラ塗布具Ｂの構成については、異なる部位であるブラシ３２Ｂの構成についてのみ説明し、その他は同一の符号を付すことでその重複した説明は省略する。
【００２４】
図３（ａ）において、内部にマスカラ液１１が収容された円筒形状のマスカラ容器１０の上方には、筆軸３０Ａを抜き差しできる容器１０の内径より小さい開口部１２が設けられ、開口部１２の外周には、雄ねじ部１３が形成されている。開口部１２には、可撓性に富む円筒形状の中栓１４が嵌着されており、容器１０内に突出する中栓１４の突出端部内側には、後述する筆軸３０Ａを抜き出す際に、その先端に植設されているブラシ３２Ａに付着したマスカラ液１１をしごいて適正な量とするとともに、筆軸３０Ａの軸部３１に付着したマスカラ液１１を掻き落として清掃するための縮径したワイパー１５が形成されている。
【００２５】
符号２０は、下方に開口する円筒形状のキャップで、キャップ２０の開口側の内周には、マスカラ容器１０の開口部１２外周の雄ねじ部１３に螺合できる雌ねじ部２３が形成されている。この雌ねじ部２３の奥には、雌ねじ部２３に隣接して周設された凹条部２４を隔てて凸条部２５が周設され、凸条部２５の奥には、凸条部２５に隣接して凹条部２６が周設されている（図４（ｂ）参照）。
【００２６】
符号３０Ａは、その先端に第１の仕様のブラシ３２Ａが設けられた筆軸で、第１の仕様のブラシ３２Ａは、よられた芯線から放射状に延出するブリッスル先端の分布（ブラシ３２Ａ全体の形状）が略樽型に形成されて、本数が多くかつその平均長さが長い主に西洋人に多く見られる上付き睫に適した仕様である。即ち、マスカラ液１１がしっかりとブラシ３２Ａにつき、長い睫に絡みつくようにブラシ３２Ａが回転できるので、長い睫にも一度に多くの液を付けることができるとともに、より長く、ボリュームも簡単に出すことができる。
【００２７】
また、筆軸３０Ａの後端部には、筆軸３０Ａの軸部３１よりも径の大きい後方に開口する薄肉円筒型基端部３４が形成されるとともに、基端部３４の外周には、キャップ２０側の凸条部２５（凹条部２６）と軸方向に係合して抜け止めされる凸条部３５（図５参照）が周設されている。即ち、筆軸基端部３４外周側の凸条部３５とキャップ２０内周側の凸条部２５（凹条部２６）は、圧入されることで軸方向に係合して筆軸３０Ａとキャップ２０を連結一体化する凹凸ランス係合部を構成している。
【００２８】
また、筆軸基端部３４外周側の凸条部３５とキャップ２０内周側の凸条部２５（凹条部２６）が凹凸ランス係合して、筆軸３０Ａとキャップ２０が一体化された形態では、筆軸基端部３４の後端３４ｂがキャップ２０天井面２１に当接（圧接）して、筆軸３０Ａとキャップ２０とが連結部（係合部）において揺動することがない。
【００２９】
また、筆軸基端部３４外周の凸条部３５近傍には、図５（ａ）に示すように、周方向等分６箇所に縦リブ３６が形成されており、筆軸３０Ａとキャップ２０が一体化された形態では、この縦リブ３６がキャップ２０側の凹条部２６の段差部２６ａ（図７（ｃ）参照）に強く圧接されることとなって、筆軸３０Ａとキャップ２０間の円周方向の摺動も確実に阻止されている。
【００３０】
一方、図３（ｂ）に示すマスカラ塗布具Ｂは、前記したように、ブラシ３２Ｂの仕様を除いて、図３（ａ）に示すマスカラ塗布具Ａと同様の構造で、筆軸３０Ｂの先端部には、本数が少なくかつその平均長さが短い主に東洋人に多く見られる下付き睫に適した第２の仕様のブラシ３２Ｂが設けられている。即ち、この第２の仕様のブラシ３２Ｂは、よられた芯線から放射状に延出するブリッスル先端の分布（ブラシ３２Ｂ全体の形状）が先細テーパ型に形成されて、短い睫でも１本１本にブラシがしっかりとまとわり付き、細かい下睫にもマスカラ液１１をしっかりと付けることができるとともに、睫と睫の隙間に極細先端部分がしっかりと届くので、ボリュームも簡単に出すことができる。
【００３１】
図１（ａ），（ｂ）における符号ＰＡ，ＰＢは、図３（ａ），（ｂ）に示すマスカラ塗布具Ａ，Ｂをそれぞれ構成するマスカラ容器１０（図４（ａ）参照）、キャップ（図４（ｂ）参照）および筆軸３０Ａ，３０Ｂ（図５（ａ），（ｂ）参照）を、互いに分離し内部が透けて見えるようにそれぞれ一体的に包装したブリスターパックで、ブリスターパックＰＡ，ＰＢは、第１，第２の仕様のブラシ３２Ａ，３２Ｂを備えたマスカラ塗布具Ａ，Ｂの組み立てキットを構成している。なお、マスカラ容器１０の開口部１２には、開口部１２内のワイパー１５に密着する突出部１９を備えた仮のキャップ１８が螺着されて、内部のマスカラ液１３がこぼれないように構成されている。仮のキャップ１８には雄ねじ部が設けられて、開口部１２外周に螺着できるように構成されているが、雄ねじ部が設けられておらず、突出部１９付け根部が中栓１４の内周面に密着するように圧入された栓構造であってもよい。
【００３２】
即ち、ブリスターパックＰＡ，ＰＢは、それぞれのマスカラ塗布具構成部材を収容できる膨出部４１が形成された透明なプラスチック製カバー４０と、カバー４０の背面側に組み付けられた厚紙製プレート４６で構成され、カバー４０における膨出部４１裏面側の収容凹部４２には、マスカラ塗布具構成部材であるマスカラ容器１０，キャップ２０および第１，第２の仕様のブラシを備えた筆軸３０Ａ，３０Ｂがそれぞれ収容されている。符号４４は、カバー４０の左右の側縁部に設けられた溝で、プレート４６の左右の側縁部がこれらの溝４４に係合しており、プレート４６を溝４４に沿ってスライドさせることで、カバー４０の背面側を開放できる。
【００３３】
したがって、マスカラ塗布具の購入希望者は、店頭に陳列されているブリスターパックＰＡ，ＰＢの透明カバー４０を介して透けて見えるブラシ３２Ａ，３２Ｂの形状から、それぞれのブラシの仕様を容易に識別できる、即ち、マスカラ塗布具Ａ，Ｂのいずれの組み立てキットかを容易に認識できるので、マスカラ塗布具を購入するに際して第１の仕様のブラシと第２の仕様のブラシとを取り違えることがない。
【００３４】
また、ブリスターパックＰＡ，ＰＢの背面側プレート４６における透明カバー４０を通して見える側には、例えば第１の仕様のブラシ３２Ａの場合には緑色を、第２の仕様のブラシ３２Ｂの場合には赤色をそれぞれ印刷した色分けがされており、業者が商品であるブリスターパックＰＡ，ＰＢを取り扱う際や、購入希望者が商品であるブリスターパックＰＡ，ＰＢを購入する際に、ブラシの仕様毎に色分けされているブリスターパックＰＡ，ＰＢの色によって、ブラシの仕様を簡単に判別できるので、非常に便利である。
【００３５】
また、購入したキットは、組み付けることでマスカラ塗布具として簡単に組み付け一体化できるので、完成品を購入して単に使用するというのではなく、購入者が購入した塗布具キットを自分で組み立てマスカラ塗布具として完成させることができるという、従来のマスカラ塗布具にはない斬新さがある。
【００３６】
次に、ブリスターパックＰＡ（ＰＢ）として購入した後のマスカラ塗布具構成部材であるマスカラ容器１０，キャップ２０および筆軸３０Ａ（３０Ｂ）の組み立て手順を、図６および図７に基づいて説明する。
【００３７】
まず、マスカラ容器１０の開口部１２から仮キャップ１８を取り外し、開口部１２に筆軸３０Ａ（３０Ｂ）を差し込むと、図６に示すように、開口部１２の周縁部（中栓１４の上端面１４ａ）には、開口部１２より径の大きい筆軸基端部３４の前端面３４ａが当接する。次に、筆軸基端部３４の上方からキャップ２０を被せて、図６に示すように、キャップ２０を開口部１２の外周に螺着（キャップ２０を回動してキャップ２０内周の雌ねじ部２３を開口部１２外周の雄ねじ部１３に螺合）すれば、雌ねじ部２３と雄ねじ部１３の螺合の進行に連係して、図７（ａ），（ｂ）に示すように、開口部１２の周縁部１４ａに押された筆軸基端部３４側の凸条部３５はキャップ２０内周を外方に押し拡げながら軸方向（図７白抜き矢印方向）に摺動し、キャップ２０内周側の凸条部２５を乗り越えて凹条部２６に凹凸ランス係合（図７（ｃ）参照）して、筆軸３０Ａ（３０Ｂ）にキャップ２０が一体化されるとともに、筆軸３０Ａ（３０Ｂ）のキャップ２０がマスカラ容器１０の開口部１２に螺着されて、マスカラ塗布具Ａ（Ｂ）として組み付けられた形態となる。
【００３８】
特に、キャップ２０を回動させて、筆軸基端部３４側の凸条部３５とキャップ２０側の凸条部２５（凹条部２６）を係合させる際に、筒型のキャップ２０は拡径方向（半径方向外方）に、薄肉円筒型基端部３４は縮径方向（半径方向内方）にそれぞれ弾性変形するので、筆軸基端部３４外周とキャップ２０内周間の凹凸ランス係合がスムーズである。
【００３９】
また、筆軸基端部３４側の凸条部３５とキャップ２０側の凸条部２５（凹条部２６）が凹凸ランス係合したときには、「カチッ」というクリック感により凹凸ランス係合が完了したことが手の感覚と音とで認識できるとともに、筆軸３０Ａ（３０Ｂ）の基端部後端３４ｂがキャップ天井面２１に当接（圧接）して筆軸３０Ａ（３０Ｂ）とキャップ２０が強固に連結一体化されるので、筆軸３０Ａ（３０Ｂ）とキャップ２０の連結に不安を感じることもない。
【００４０】
なお、前記した実施例では、ブラシ３２Ａ（３２Ｂ）の仕様が２種類あるものとして説明したが、ブラシの仕様が３種類以上の場合には、マスカラ塗布具のキットを構成するブリスターパックをブラシの仕様に対応させた複数種で構成すればよい。
【００４１】
また、前記した実施例では、ブリスターパックＰＡ，ＰＢのカバー４０全体が透明に構成されているが、カバー４０における筆軸先端のブラシ部分だけが透明であってもよい。
【００４２】
また、前記した実施例では、マスカラ塗布具構成部品がブリスターパックＰＡ，ＰＢとして一体化されているが、マスカラ塗布具構成部品の包装手段はブリスターパックに限られるものではなく、少なくとも筆軸のブラシ部分だけが透けて見えるように構成した他の包装手段であってもよい。
【００４３】
また、前記した実施例では、マスカラ塗布具について説明したが、本発明はマスカラ塗布具に限られるものではなく、マニキュア塗布具その他の液体化粧料塗布具にも適用できることはいうまでもない。
【図面の簡単な説明】
【００４４】
【図１】本発明の一実施例であるマスカラ塗布具の組み立てキットの正面図で、（ａ）は第１の仕様のブラシを備えたマスカラ塗布具の組み立てキットの正面図、（ｂ）は第２の仕様のブラシを備えたマスカラ塗布具の組み立てキットの正面図である。
【図２】第１の仕様のブラシを備えたマスカラ塗布具の組み立てキットの断面図（図１（ａ）に示す線ＩＩ−ＩＩに沿う断面図）である。
【図３】（ａ）は第１の仕様のブラシを備えたマスカラ塗布具の縦断面図、（ｂ）は第２の仕様のブラシを備えたマスカラ塗布具の縦断面図である。
【００４５】
【図４】（ａ）はマスカラ塗布具構成部材であるマスカラ容器の半縦断面図、（ｂ）はマスカラ塗布具構成部材であるキャップ（本キャップ）の半縦断面図である。
【図５】（ａ）はマスカラ塗布具構成部材である第１の仕様のブラシを備えた筆軸の半縦断面図、（ｂ）はマスカラ塗布具構成部材である第２の仕様のブラシを備えた筆軸の半縦断面図である。
【図６】筆軸基端部にキャップを一体化する状態の縦断面図である。
【図７】キャップ内周の凹条部に筆軸基端部の凸条部が凹凸ランス係合する様子を説明する説明図で、（ａ）は筆軸基端部外周の凸条部がキャップ内周の凸条部を乗り越える前の断面図、（ｂ）は筆軸基端部外周の凸条部がキャップ内周の凸条部を乗り越える時の断面図、（ｃ）は筆軸基端部外周の凸条部がキャップ内周の凸条部を乗り越えて凹条部に係合（凹凸ランス係合）した状態の断面図である。
【図８】従来の液体化粧料塗布具の縦断面図である。
【符号の説明】
【００４６】
Ａ，Ｂ  マスカラ塗布具
１０  液体化粧料容器
１１  液体化粧料
１２  開口部
１３  開口部外周の雄ねじ部
１８  仮キャップ
２０  キャップ（本キャップ）
２３  キャップ内周の雌ねじ部
２５  凹凸ランス係合部を構成するキャップ側の凸条部
２６  凹凸ランス係合部を構成するキャップ側の凹条部
３０Ａ  第１の仕様のブラシを備えた筆軸
３０Ｂ  第２の仕様のブラシを備えた筆軸
３１  筆軸の軸部
３２Ａ  第１の仕様のブラシ
３２Ｂ  第２の仕様のブラシ
３５  凹凸ランス係合部を構成する筆軸基端部側の凸条部
ＰＡ，ＰＢ  マスカラ塗布具の組み立てキットを構成するブリスターパック
４０  透明カバー
４１  透明カバーに設けられた膨出部
【図１】
2006055307.tif 000003
【図２】
2006055307.tif 000004
【図３】
2006055307.tif 000005
【図４】
2006055307.tif 000006
【図５】
2006055307.tif 000007
【図６】
2006055307.tif 000008
【図７】
2006055307.tif 000009
【図８】
2006055307.tif 000010